【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
血管内の血栓の除去のための自動展開式装置であって、
該装置は、近端および遠端を有する管状構造を含み、該構造は、第１の複数のセルを含む遠位部分と、第２の複数のセルを含む近位部分とを含み、
該装置はさらに、該近位部分の近端に配置された連結点を含み、該近位部分は該連結点において収斂し、
該装置はさらに、該構造の長手方向軸に平行に延びる２つの縁端を含み、
該構造は、インプラントの場所においては展開構成をとるように構成されており、そして、該構造は、マイクロカテーテル内への挿入のために体積縮小形態へ改変されるように構成されており、
該体積縮小形態は、該展開構成よりも小さな断面積を有し、
該２つの縁端は、該体積縮小構成においては重なっており、
該構造は、該体積縮小構成から該展開構成への移行のときに該血栓内に展開するように構成されている
ことを特徴とする装置。
【請求項２】
前記構造の前記遠端がコイルまたはアイレットの形状をもつＸ線不透過性マーカーを有することを特徴とする請求項１に記載の装置。
【請求項３】
前記構造の前記遠端が、体積拡大形態において、該体積拡大形態における該構造の前記近端より大きな直径を有することを特徴とする請求項１に記載の装置。
【請求項４】
前記構造が、近位部分において第１の複数のメッシュセルと、先細り部分において第２の複数のメッシュセルとを含み、
該構造の前記遠端が第３の複数のメッシュセルを有し、該第３の複数のメッシュセルが、該第２の複数のメッシュセルより小さいセル寸法を有することを特徴とする請求項１に記載の装置。
【請求項５】
前記構造の前記遠端が１つ以上のペグ及び／またはフックを有することを特徴とする請求項１に記載の装置。
【請求項６】
前記構造の前記遠端がファイバを有することを特徴とする請求項１に記載の装置。
【請求項７】
前記構造の前記遠端が、強められた径方向力を与えるに十分な時間加熱されることを特徴とする請求項１に記載の装置。
【請求項８】
前記構造が抗血液凝固性または抗血小板性の薬剤でコーティングされることを特徴とする請求項１に記載の装置。
【請求項９】
前記構造がさらに生分解性／生体適合性の高分子材でコーティングされて前記抗血液凝固性または抗血小板性の薬剤の徐放を提供することを特徴とする請求項８に記載の装置。
【請求項１０】
前記構造が抗血液凝固性または抗血小板性の薬剤を保持するための貯槽を有することを特徴とする請求項１に記載の装置。
【請求項１１】
装置に少なくともある程度絡み付かれた血栓を含む、除去可能な一体化された装置−血栓複合体であって、
該装置が、近端および遠端を有する管状構造を含み、該構造は、第１の複数のセルを含む遠位部分と、第２の複数のセルを含む近位部分とを含み、
該装置はさらに、該近位部分の近端に配置された連結点を含み、該近位部分は該連結点において収斂し、
該装置はさらに、該構造の長手方向軸に平行に延びる２つの縁端を含み、
該構造は、インプラントの場所においては展開構成をとるように予め形成されており、該構造は、該展開構成のときは、管状で、長手方向に沿って延び、そして該構造は、マイクロカテーテル内への挿入のために体積縮小形態へ改変されるように構成されており、
該体積縮小形態は、該展開構成よりも小さな断面積を有し、
該２つの縁端は、該体積縮小構成においては重なっており、
該構造は、該体積縮小構成から該展開構成への移行のときに該血栓内に展開するように構成されている
ことを特徴とする装置−血栓複合体。
【請求項１２】
血管内における血栓の除去のための自動展開式装置であって、
該装置は、該血栓内へと展開して、該血栓を取り出すための手段を備え、
該手段は、近端および遠端を有する管状構造を含み、該構造は、第１の複数のセルを含む遠位部分と、第２の複数のセルを含む近位部分とを有し、
該装置はさらに、該近位部分の近端に配置された連結点を含み、該近位部分は該連結点において収斂し、
該装置はさらに、該構造の長手方向軸に平行に延びる２つの縁端を含み、
該構造は、インプラントの場所においては展開構成をとるように予め形成されており、該構造は、該展開構成のときは、管状で、長手方向に沿って延び、そして、該構造は、マイクロカテーテル内への挿入のために体積縮小形態へ改変されるように構成されており、
該体積縮小形態は、該展開構成よりも小さな断面積を有し、
該２つの縁端は、該体積縮小構成のときには、該構造が少なくとも１つの径方向において多層を有するように、該体積縮小構成においては重なっている
ことを特徴とする装置。
【請求項１３】
動脈内の血栓の処置および動脈内からの血栓の除去のための展開式デバイスであって、
該デバイスは、近端および遠端を有する管状構造を含み、該構造は、第１の複数のセルを含む遠位部分と、第２の複数のセルを含む近位部分とを有し、
該デバイスはさらに、該近位部分の近端に配置された連結点を含み、該近位部分は該連結点において収斂し、
該デバイスはさらに、該構造の長手方向軸に平行に延びる２つの縁端を含み、
該構造は、インプラントの場所においては展開構成をとるように構成されており、該構造は、該展開構成のときは、管状で、長手方向に沿って延び、そして、該構造は、マイクロカテーテル内への挿入のために体積縮小形態へ改変されるように構成されており、
該体積縮小形態は、該展開構成よりも小さな断面積を有し、
該２つの縁端は、該体積縮小構成のときには、該構造が少なくとも１つの径方向において多層を有するように、該体積縮小構成においては重なっており、
該構造は、該体積縮小構成から該展開構成への移行のときに該血栓内に展開するように構成されている
ことを特徴とするデバイス。
【請求項１４】
前記構造の前記遠端がコイルまたはアイレットの形状をもつＸ線不透過性マーカーを有することを特徴とする請求項１３に記載のデバイス。
【請求項１５】
前記構造の前記遠端が、体積拡大形態において、該体積拡大形態における該構造の前記近端より大きな直径を有することを特徴とする請求項１３に記載のデバイス。
【請求項１６】
前記構造が、近位部分において第１の複数のメッシュセルと、先細り部分において第２の複数のメッシュセルとを含み、
該構造の前記遠端が第３の複数のセルを有し、該第３の複数のセルが、該第２の複数のセルより小さいセル寸法を有することを特徴とする請求項１３に記載のデバイス。
【請求項１７】
前記構造の前記遠端が１つ以上のペグ及び／またはフックを有することを特徴とする請求項１３に記載のデバイス。
【請求項１８】
前記構造の前記遠端がファイバを有することを特徴とする請求項１３に記載のデバイス。
【請求項１９】
前記構造の前記遠端が、強められた径方向力を与えるに十分な時間加熱されることを特徴とする請求項１３に記載のデバイス。
【請求項２０】
前記構造が抗血液凝固性または抗血小板性の薬剤でコーティングされることを特徴とする請求項１３に記載のデバイス。
【請求項２１】
前記構造がさらに生分解性／生体適合性の高分子材でコーティングされて前記抗血液凝固性または抗血小板性の薬剤の徐放を提供することを特徴とする請求項２０に記載のデバイス。
【請求項２２】
前記構造が抗血液凝固性または抗血小板性の薬剤を保持するための貯槽を有することを特徴とする請求項１３に記載のデバイス。
【手続補正２】
【補正対象書類名】明細書
【補正対象項目名】００１５
【補正方法】変更
【補正の内容】
【００１５】
本発明はまた、以下の項目を提供する。
（項目１）血栓で閉塞された血管部位における局所血流を回復させる方法であって、上記方法は、
上記血栓に径方向に隣接する部位に、自動展開式装置を送り込む工程、および
上記装置を展開し、それによって血流を回復させる工程
を包含し、
上記装置は、
第１の複数のメッシュセルを含むメッシュ構造であって、上記メッシュ構造は、近端および遠端を有する、メッシュ構造と、
第２の複数のメッシュセルを含む先細り部分であって、上記先細り部分は、上記メッシュ構造の近端に向けて配置される、先細り部分と、
上記先細り部分が収斂する、上記先細り部分の近端に配置された、連結点と
を備え、上記装置は、体積拡大形態をとるようにあらかじめ形成され、上記体積拡大形態において上記連結点に向けて先細りになる、軸方向開放管の形態をとる、
方法。
（項目２）血管内に張り付いた血栓をある程度または実質的に溶解させる方法であって、上記方法は、
上記血栓に径方向に隣接する部位に、自動展開式装置を送り込む工程、および
上記装置を展開し、それによって上記血管を通る血液を増大させる工程
を包含し、上記増大した血流はある程度または実質的に上記血栓を溶解させ、
上記装置は、
第１の複数のメッシュセルを含むメッシュ構造であって、上記メッシュ構造は、近端および遠端を有する、メッシュ構造と、
第２の複数のメッシュセルを含む先細り部分であって、上記先細り部分は、上記メッシュ構造の近端に向けて配置される、先細り部分と、
上記先細り部分が収斂する、上記先細り部分の近端に配置された、連結点と
を備え、上記装置は、体積拡大形態をとるようにあらかじめ形成され、上記体積拡大形態において上記連結点に向けて先細りになる、軸方向開放管の形態をとる、
方法。
（項目３）
血管内に張り付いた血栓を引剥がす方法であって、上記方法は、
上記血栓に径方向に隣接する部位に、自動展開式装置を送り込む工程、
上記装置を、上記血栓の少なくとも一部分に絡み付くように展開する工程、および
上記装置を、近位に、または遠位に動かして、上記血栓を引剥がす工程
を包含し、
上記装置は、
第１の複数のメッシュセルを含むメッシュ構造であって、上記メッシュ構造は、近端および遠端を有する、メッシュ構造と、
第２の複数のメッシュセルを含む先細り部分であって、上記先細り部分は、上記メッシュ構造の近端に向けて配置される、先細り部分と、
上記先細り部分が収斂する、上記先細り部分の近端に配置された、連結点と
を備え、上記装置は、体積拡大形態をとるようにあらかじめ形成され、上記体積拡大形態において上記連結点に向けて先細りになる、軸方向開放管の形態をとる、
方法。
（項目４）上記装置が、可逆自動展開式である、上記項目のいずれか１項に記載の方法。
（項目５）上記装置が、近端および遠端を有する送り込みデバイスによって送り込まれる、上記項目のいずれか１項に記載の方法。
（項目６）上記装置が、上記送り込みデバイス内に含まれている間は展開されない、項目５に記載の方法。
（項目７）上記装置が、上記送り込みデバイスを近位に、かつ／または上記装置を遠位に動かすことによって、展開される、項目６に記載の方法。
（項目８）上記連結点は押出ワイヤに固定される、上記項目のいずれか１項に記載の方法。
（項目９）上記装置は、上記押出ワイヤを遠位に動かすことによって展開され得る、項目８に記載の方法。
（項目１０）上記送り込みデバイスは、上記血栓に径方向に隣接するように配置される、項目５に記載の方法。
（項目１１）上記送り込みデバイスの遠端は、上記血栓に対して遠位にある、項目１０に記載の方法。
（項目１２）上記送り込みデバイスは近位に動かされ、それによって上記装置が上記血栓に径方向に隣接するように上記装置が展開される、項目９に記載の方法。
（項目１３）上記血栓に、有効量の血塊退治薬剤を送り込む工程をさらに包含する、上記項目のいずれか１項に記載の方法。
（項目１４）項目３に記載の方法であって、さらに上記血栓を上記血管から除去する工程を包含する、項目３に記載の方法。
（項目１５）上記自動展開式装置は、上記血栓に対して遠位に送り込まれる、項目１４に記載の方法。
（項目１６）上記メッシュ構造の遠端は、上記血栓の少なくとも一部分に絡みつき、除去可能な、一体化された装置−血栓複合体を形成するように構成されている、項目１５に記載の方法。
（項目１７）上記除去可能な、一体化された装置−血栓複合体は、上記血管を通して近位に動かされる、項目１６に記載の方法。
（項目１８）上記除去可能な、一体化された装置−血栓複合体は、上記血管から引き出される、項目１７に記載の方法。
（項目１９）上記装置は、上記血管における血流を回復させるのに十分な時間、展開される、上記項目のいずれか１項に記載の方法。
（項目２０）血栓で閉塞された血管における血流の回復の撮像のための方法であって、該方法は、
ａ)血栓に径方向に隣接して配置された自動展開式装置の画像を取り込む工程、及び
ｂ)上記装置の展開、およびそれによる血流の回復の画像を取り込む工程
を包含する、方法。
（項目２１）血管内に張り付いた血栓の引剥しの撮像のための方法であって、該方法は、
ａ)血栓に径方向に隣接して配置された自動展開式装置の画像を取り込む工程、及び
ｂ)上記装置の展開、およびそれによる上記血管を通る血液の増大の画像を取り込む工程
を包含し、増大した血流が、ある程度または実質的に上記血栓を溶解させる、方法。
（項目２２）血管内に張り付いた血栓の引剥がしの撮像のための方法であって、該方法は、
ａ）血栓に径方向に隣接して配置された自動展開式装置の画像を取り込む工程、
ｂ）上記装置の展開、およびそれによる上記血栓の少なくとも一部分への絡み付きの画像を取り込む工程、および
ｃ）上記装置の遠位または近位への移動、およびそれによる上記血栓の引剥がしの画像を取り込む工程
を包含する、方法。
（項目２３）
血管内の血栓の除去のための自動展開式装置において、
第１の複数のメッシュセルを有するメッシュ構造であって、上記メッシュ構造が近端及
び遠端を有し、上記メッシュ構造の上記遠端が上記血栓の少なくとも一部分に絡み付いて
除去可能な一体化された装置−血栓複合体を形成するように構成された、メッシュ構造、
第２の複数のメッシュ構造を有する先細り部分であって、上記先細り部分が上記メッシ
ュ構造の上記近端に向けて配置される、先細り部分、及び
上記先細り部分が収斂する、上記先細り部分の近端に配置された、連結点、
を有し、
上記装置が、体積拡大形態をとるようにあらかじめ形成され、上記体積拡大形態におい
て上記連結点に向けて先細りになる、軸方向開放管の形態をとる、
ことを特徴とする装置。
（項目２４）
上記メッシュ構造の上記遠端がコイルまたはアイレットの形状をもつＸ線不透過性マー
カーを有することを特徴とする項目２３に記載の装置。
（項目２５）
上記メッシュ構造の上記遠端が、上記体積拡大形態において上記体積拡大形態における
上記メッシュ構造の上記近端より大きな直径を有することを特徴とする項目２３に記載の
装置。
（項目２６）
上記メッシュ構造の上記遠端が第３の複数のメッシュセルを有し、上記第３の複数のメ
ッシュセルが上記第２の複数のメッシュセルより小さいセル寸法を有することを特徴とす
る項目２３に記載の装置。
（項目２７）
上記メッシュ構造の上記遠端が１つ以上のペグ及び／またはフックを有することを特徴
とする項目２３に記載の装置。
（項目２８）
上記メッシュ構造の上記遠端がファイバを有することを特徴とする項目２３に記載の装
置。
（項目２９）
上記メッシュ構造の上記遠端が強められた径方向力を与えるに十分な時間加熱されるこ
とを特徴とする項目２３に記載の装置。
（項目３０）
上記メッシュ構造が抗血液凝固性または抗血小板性の薬剤でコーティングされることを
特徴とする項目２３に記載の装置。
（項目３１）
上記メッシュ構造がさらに生分解性／生体適合性の高分子材でコーティングされて上記
抗血液凝固性または抗血小板性の薬剤の徐放を提供することを特徴とする項目３０に記載
の装置。
（項目３３）
上記メッシュ構造が抗血液凝固性または抗血小板性の薬剤を保持するための貯槽を有す
ることを特徴とする項目２３に記載の装置。
（項目１１）
装置に少なくともある程度絡み付かれた血栓を含む、除去可能な一体化された装置−血
栓複合体において、上記装置が、
第１の複数のメッシュセルを有するメッシュ構造であって、上記メッシュ構造が近端及
び遠端を有し、上記メッシュ構造の上記遠端が上記血栓の少なくとも一部分に絡み付いて
除去可能な一体化された装置−血栓複合体を形成するように構成された、メッシュ構造、
第２の複数のメッシュ構造を有する先細り部分であって、上記先細り部分が上記メッシ
ュ構造の上記近端に向けて配置される、先細り部分、及び
上記先細り部分が収斂する、上記先細り部分の近端に配置された、連結点、
を有し、
上記装置が、体積拡大形態をとるようにあらかじめ形成され、上記体積拡大形態におい
て上記連結点に向けて先細りになる、軸方向開放管の形態をとる、
ことを特徴とする装置−血栓複合体。
本明細書に組み込まれて本明細書の一部をなす添付図面は、本発明の例示的実施形態を
示し、上で与えられた全般的説明及び以下に与えられる詳細な説明とともに本発明の特徴
の説明に役立つ。